(57)【要約】【課題】テレビジョン受信機などの同調回路内蔵機器に内蔵される複数のチューナ部を全体として小型化することができる同調回路を提供すること。【解決手段】本考案の同調回路１Ａのチューナ部３は、第１のＰＬＬ回路３ａの入力端子に供給するチューニング電圧を生成する高電圧生成回路４と、第１のＰＬＬ回路３ａの入力端子から分岐して得られるチューニング電圧を出力する第１の外部出力端子３ｂとを備えている。そのため、高電圧生成回路４によって生成されたチューニング電圧が第１の外部出力端子３ｂを介して高電圧生成回路４に接続されていない第２のチューナ部５のＰＬＬ回路に供給することができる。これにより、第２のチューナ部５の省スペース化に貢献することができる。【選択図】図１
0003123100.tif 000002
【実用新案登録請求の範囲】
【請求項１】
第１のＰＬＬ回路の入力端子に供給するチューニング電圧を生成する高電圧生成回路と、
前記第１のＰＬＬ回路の入力端子から分岐して得られる前記チューニング電圧を出力する第１の外部出力端子と
を備えていることを特徴とする同調回路。
【請求項２】
前記高電圧生成回路は、ＤＣ／ＤＣコンバータである
ことを特徴とする請求項１に記載の同調回路。
【請求項３】
請求項１または請求項２に記載の同調回路に係る第１の外部出力端子に接続される外部入力端子と、
前記外部入力端子を入力端子として有する第２のＰＬＬ回路と
を備えていることを特徴とする同調回路。
【請求項４】
前記外部入力端子から分岐して得られる請求項１または請求項２に記載のチューニング電圧を出力する第２の外部出力端子を備えている
ことを特徴とする請求項３に記載の同調回路。
【請求項５】
ＰＬＬ回路にチューニング電圧を供給する高電圧生成回路と接続自在に形成されている第１の接続端子と、
前記第１の接続端子から分岐して形成されており前記チューニング電圧を出力もしくは入力する第２の接続端子と
を備えていることを特徴とする同調回路用配線板。
【請求項６】
前記第２の接続端子から分岐して形成されており前記チューニング電圧を出力もしくは入力する第３の接続端子を備えている
ことを特徴とする請求項５に記載の同調回路用配線板。
【請求項７】
請求項１または請求項２に記載の第１の同調回路と、
請求項３または請求項４に記載の第２の同調回路と
を備えており、
前記第１の同調回路に係る第１の外部出力端子が、前記第２の同調回路に係る外部入力端子に接続されている
ことを特徴とする同調回路内蔵機器。
【請求項８】
請求項１または請求項２に記載の第１の同調回路と、
請求項３または請求項４に記載の第２の同調回路と、
請求項４に記載の１または２以上の第３の同調回路と
を備えており、
前記第１の同調回路に係る第１の外部出力端子が、前記１または２以上の第３の同調回路のうちの１の第３の同調回路に係る外部入力端子に接続されているとともに、
前記１の第３の同調回路に係る第２の外部出力端子が、他の前記第３の同調回路もしくは前記第２の同調回路に係る外部入力端子に接続されている
ことを特徴とする同調回路内蔵機器。
【考案の詳細な説明】
【技術分野】
【０００１】
本考案は、同調回路、同調回路用配線板および同調回路内蔵機器に係り、特に、小型化が望まれるポータブル型テレビジョン受信機などに好適に利用することができる同調回路、同調回路用配線板および同調回路内蔵機器に関する。
【背景技術】
【０００２】
一般的に、テレビジョン・チューナ（同調回路）１０１においては、図３に示すように、チューナ部１０３の内部にあるＰＬＬ回路（位相同期回路）１０３ａにチューニング電圧として２０Ｖ〜３０Ｖ程度の高い電圧を供給する必要がある。その一方、中間周波数増幅回路１１２、映像検波回路１１３、音声検波回路１１４、その他の図示しない回路などのＰＬＬ回路１０３ａ以外の回路に対しては、例えば５Ｖ程度の低い駆動電圧を電源１１１から供給して駆動することができるようになっている。
【０００３】
そのため、従来のテレビジョン・チューナ１０１においては、低い電圧からチューニング電圧となる高い電圧を生成するための高電圧生成回路１０４をテレビジョン・チューナ１０１の配線板１０２に備えていた（特許文献１を参照）。
【０００４】
【特許文献１】特開平７−２５０００２号公報
【考案の開示】
【考案が解決しようとする課題】
【０００５】
しかしながら、図４に示すように、例えばデジタル放送およびアナログ放送を同時に受信するために２個以上のチューナ部１０３、１０５をテレビジョン受信機に内蔵させる場合、各々のチューナ部１０３、１０５に対して高電圧生成回路１０４をそれぞれ１個ずつ配設しなければならなかった。そのため、複数のチューナ部１０３、１０５が配設されたテレビジョン・チューナ１０１の配線板１０２およびそれを内蔵するテレビジョン受信機が高電圧生成回路１０４の配設個数分だけ大型なものになってしまうという問題があった。
【０００６】
そこで、本考案はこれらの点に鑑みてなされたものであり、テレビジョン受信機などの同調回路内蔵機器に内蔵される複数のチューナ部を全体として小型化することができる同調回路を提供することをその目的としている。
【０００７】
また、本考案は、同調回路を小型化させることができる同調回路用配線板を提供することを他の目的としている。
【０００８】
さらに、本考案は、テレビジョン受信機などの同調回路内蔵機器を小型化させることができる同調回路内蔵機器を提供することを他の目的としている。
【課題を解決するための手段】
【０００９】
前述した１の目的を達成するため、本考案の同調回路は、その第１の態様として、第１のＰＬＬ回路の入力端子に供給するチューニング電圧を生成する高電圧生成回路と、第１のＰＬＬ回路の入力端子から分岐して得られるチューニング電圧を出力する第１の外部出力端子とを備えていることを特徴としている。
【００１０】
本考案の第２の態様の同調回路は、第１の態様の同調回路において、高電圧生成回路がＤＣ／ＤＣコンバータであることを特徴としている。
【００１１】
本考案の第３の態様の同調回路は、第１または第２の態様の同調回路に係る第１の外部出力端子に接続される外部入力端子と、外部入力端子を入力端子として有する第２のＰＬＬ回路とを備えていることを特徴としている。
【００１２】
本考案の第４の態様の同調回路は、第３の態様の同調回路において、外部入力端子から分岐して得られる第１または第２の態様のチューニング電圧を出力する第２の外部出力端子を備えていることを特徴としている。
【００１３】
また、他の目的を達成するため、本考案の第１の態様の同調回路用配線板は、ＰＬＬ回路にチューニング電圧を供給する高電圧生成回路と接続自在に形成されている第１の接続端子と、第１の接続端子から分岐して形成されておりチューニング電圧を出力もしくは入力する第２の接続端子とを備えていることを特徴としている。
【００１４】
本考案の第２の態様の同調回路用配線板は、第１の態様の同調回路用配線板において、第２の接続端子から分岐して形成されておりチューニング電圧を出力もしくは入力する第３の接続端子を備えていることを特徴としている。
【００１５】
さらに、他の目的を達成するため、本考案の第１の態様の同調回路内蔵機器は、第１または第２の態様の第１の同調回路と、第３または第４の態様の第２の同調回路とを備えており、第１の同調回路に係る第１の外部出力端子が第２の同調回路に係る外部入力端子に接続されていることを特徴としている。
【００１６】
本考案の第２の態様の同調回路内蔵機器は、第１または第２の態様の第１の同調回路と、第３または第４の態様の第２の同調回路と、第４の態様の１または２以上の第３の同調回路とを備えており、第１の同調回路に係る第１の外部出力端子が１または２以上の第３の同調回路のうちの１の第３の同調回路に係る外部入力端子に接続されているとともに、１の第３の同調回路に係る第２の外部出力端子が他の第３の同調回路もしくは第２の同調回路に係る外部入力端子に接続されていることを特徴としている。
【考案の効果】
【００１７】
本考案の第１の態様の同調回路によれば、高電圧生成回路によって生成されたチューニング電圧が第１の外部出力端子を介して他の同調回路のＰＬＬ回路に供給することができるので、他の同調回路に高電圧生成回路を形成する必要が無くなる。これにより、他の同調回路の省スペース化に貢献することができるという効果を奏する。
【００１８】
本考案の第２の態様の同調回路によれば、電源から得た不安定な低い電圧をチューニング電圧として必要な安定した高い電圧に昇圧することができるという効果を奏する。
【００１９】
本考案の第３の態様の同調回路によれば、高電圧生成回路を有しない同調回路のＰＬＬ回路に対して高電圧生成回路を有する同調回路から供給されるチューニング電圧を供給することができる。これにより、同調回路に高電圧生成回路を形成する必要が無くなるので、同調回路の省スペース化に貢献することができるという効果を奏する。
【００２０】
本考案の第４の態様の同調回路によれば、チューニング電圧が供給された同調回路を介して高電圧生成回路を有しない他の同調回路のＰＬＬ回路にチューニング電圧を供給することができるという効果を奏する。
【００２１】
また、本考案の第１の態様の同調回路用配線板によれば、第１から第３の態様のすべての態様の同調回路に用いることができる汎用性の高い配線板にすることができるので、高電圧生成回路の有無に応じて配線板の形状を変更する必要が無くなるという効果を奏する。
【００２２】
本考案の第２の態様の同調回路用配線板によれば、第１から第４の態様のすべての態様の同調回路に用いることができる汎用性の高い配線板にすることができるので、高電圧生成回路の有無に応じて配線板の形状を変更する必要が無くなるという効果を奏する。
【００２３】
さらに、本考案の第１の態様の同調回路内蔵機器によれば、２個の同調回路に係るＰＬＬ回路を並列に接続することができるので、１個の高電圧生成回路により生成されたチューニング電圧を２個のＰＬＬ回路に供給することができる。これにより、同調回路ごとに高電圧生成回路を設ける必要が無くなるので、同調回路全体の省スペース化に貢献することができるという効果を奏する。
【００２４】
本考案の第２の態様の同調回路内蔵機器によれば、複数の同調回路に係るＰＬＬ回路を並列に接続することができるので、１個の高電圧生成回路により生成されたチューニング電圧を複数のＰＬＬ回路に供給することができるという効果を奏する。
【考案を実施するための最良の形態】
【００２５】
以下、図１および図２を用いて、本考案の同調回路、同調回路用配線板および同調回路内蔵機器をその実施形態により説明する。
【００２６】
図１は、第１の実施形態のテレビジョン受信機（同調回路内蔵機器）に内蔵されたテレビジョン・チューナ（同調回路）１Ａを示している。本実施形態のテレビジョン受信機は、画像表示部、音声出力部、チャンネル変更部および図１に示すテレビジョン・チューナ１Ａを備えており、本考案の同調回路内蔵機器として用いられている。また、このテレビジョン受信機に内蔵されているテレビジョン・チューナ１Ａは、図１に示すように、配線板２Ａに、第１のチューナ部３、第２のチューナ部５および１個の高電圧生成回路４ならびに図示しない電源、中間周波数増幅回路、映像検波回路、音声検波回路およびテレビジョン・チューナに用いられるその他の一般的な回路を有しており、本考案の同調回路として用いられている。
【００２７】
第１のチューナ部３としては、第１のＰＬＬ回路３ａおよび第１の外部出力端子３ｂを有している。この第１のＰＬＬ回路３ａは、図示しない１個以上のバラクタダイオード（バリキャップダイオードともいう。）を有しており、アンテナ１０により受信されたテレビジョン信号を所望のチャンネルに選局して図示しない中間周波数増幅回路に中間周波信号を出力するように形成されている。
【００２８】
また、第１のＰＬＬ回路３ａは高電圧生成回路４に接続されている。すなわち、この高電圧生成回路４は、電源から供給される５Ｖ程度の一次電圧（低電圧）を２０Ｖ〜３０Ｖ程度の二次電圧（高電圧）に昇圧し、その二次電圧をチューニング電圧として第１のＰＬＬ回路３ａの入力端子３ｆに供給するように形成されている。本実施形態においては、高電圧生成回路４として、不安定な一次電圧を安定した二次電圧に変圧するＤＣ／ＤＣコンバータが用いられている。
【００２９】
第１の外部出力端子３ｂは、給電線３ｄを用いて第１のＰＬＬ回路３ａの入力端子３ｆから分岐するように形成されており、第１のＰＬＬ回路３ａと並列に配設されている。
【００３０】
第２のチューナ部５は、第２のＰＬＬ回路５ａおよび外部入力端子５ｃを有している。第２のＰＬＬ回路５ａは、第１のＰＬＬ回路３ａと同様にして形成されている。外部入力端子５ｃは第２のＰＬＬ回路５ａの入力端子５ｆに接続されている。また、この外部入力端子５ｃは、第１のチューナ部３に接続された第１の外部出力端子３ｂに給電線７を介して接続されている。なお、図示しないが、テレビジョン・チューナ１Ａの拡張性を向上させるため、この外部入力端子５ｃから分岐して形成されており、当該外部入力端子５ｃに供給されたチューニング電圧を他のチューナ部のＰＬＬ回路に供給するための第２の外部出力端子を備えていても良い。
【００３１】
配線板２Ａは、第１の接続端子（３ｅもしくは５ｅ）および第２の接続端子（３ｂもしくは５ｃ）を有している。第１の接続端子（３ｅもしくは５ｅ）は、高電圧生成回路４と接続自在に形成されている。第２の接続端子（３ｂもしくは５ｃ）は、第１の接続端子３ｅもしくは５ｅから分岐して形成されている。第１の接続端子（本文においては３ｅ）に高電圧生成回路４が接続されている場合、第２の接続端子は第１の外部出力端子３ｂとなるため、第１のチューナ部３が搭載される配線板が本考案の同調回路用配線板として用いられる。また、第１の接続端子（本文においては５ｅ）に高電圧生成回路４が接続されていない場合、第２の接続端子は外部入力端子５ｃとなるため、第２のチューナ部５が搭載される配線板が本考案の同調回路用配線板として用いられる。第１のチューナ部３が搭載される配線板および第２のチューナ部５が搭載される配線板は現実に分離されることなく観念上分離されるものであってもよいので、本実施形態においてはそれらの配線板が同一の配線板２Ａに形成されている。
【００３２】
次に、図１を用いて、第１の実施形態のテレビジョン受信機（同調回路内蔵機器）、それに内蔵されたテレビジョン・チューナ（同調回路）１Ａおよびテレビジョン・チューナ用配線板（同調回路用配線板）の作用を説明する。
【００３３】
本実施形態のテレビジョン受信機は、図１に示すように、テレビジョン・チューナ１Ａを有している。テレビジョン・チューナ１Ａにおける第１のチューナ部３および第２のチューナ部５はそれぞれ第１のＰＬＬ回路３ａまたは第２のＰＬＬ回路５ａを有しており、高電圧生成回路４は第１のチューナ部３の第１のＰＬＬ回路３ａの入力端子３ｆにのみ直接的に接続されている。ここで、第１のチューナ部３は第１のＰＬＬ回路３ａの入力端子３ｆから分岐させた第１の外部出力端子３ｂを有しているので、第１のチューナ部３は高電圧生成回路４から第１のＰＬＬ回路３ａへのチューニング電圧の供給を受けつつ、第１の外部出力端子３ｂにチューニング電圧を供給することができる。また、高電圧生成回路４が直接的に接続されていない第２のチューナ部５は第２のＰＬＬ回路５ａの入力端子５ｅに接続されている外部入力端子５ｃを有しているので、第２のチューナ部５は第１のチューナ部３から第１の外部出力端子３ｂ、給電線７および外部入力端子５ｃを介してチューニング電圧を受給して第２のＰＬＬ回路５ａを駆動させることができる。
【００３４】
また、第１のチューナ部３および第２のチューナ部５に係る配線板は、第１の接続端子（３ｅもしくは５ｅ）および第２の接続端子（３ｂもしくは５ｃ）を有しており、第１の接続端子（３ｅもしくは５ｅ）に高電圧生成回路４を接続させるか否かに応じて第２の接続端子を第１の外部出力端子３ｂもしくは外部入力端子５ｃとして選択的に用いることができる。これにより、第１のチューナ部３または第２のチューナ部５のいずれかのチューナ部を搭載しても各種のチューナ部に応じて配線板の形状を変更することなく共通の配線板を用いることができる。つまり、本実施形態の配線板に高い汎用性を付与することができる。
【００３５】
このような第１のチューナ部３および第２のチューナ部５を有するテレビジョン・チューナ１Ａにおいて、第１のチューナ部３の第１の外部出力端子３ｂは給電線７を用いて第２のチューナ部５の外部入力端子５ｃに接続されている。換言すると、第１のＰＬＬ回路３ａおよび第２のＰＬＬ回路５ａは高電圧生成回路４に対して並列に接続されている。そのため、１個の高電圧生成回路４を用いて２個のＰＬＬ回路３ａ、５ａにチューニング電圧を供給することができるので、ＰＬＬ回路３ａ、５ａの配設個数と同数だけ高電圧生成回路４を配設する必要が無くなり、第１のチューナ部３および第２のチューナ部５が配設される配線板２Ａおよびそれを内蔵するテレビジョン受信機の省スペース化および小型化に寄与することができる。
【００３６】
また、本実施形態においては、高電圧生成回路４としてＤＣ／ＤＣコンバータを用いているので、不安定かつ低い電源電圧を安定かつ高い高電圧に昇圧することができる。
【００３７】
すなわち、本実施形態のテレビジョン受信機（同調回路内蔵機器）およびそれに内蔵されたテレビジョン・チューナ（同調回路）１Ａによれば、高電圧生成回路４によって生成されたチューニング電圧が直接供給される第１のチューナ部３のＰＬＬ回路３ａから第１の外部出力端子３ｂを介して第２のチューナ部５のＰＬＬ回路５ａに供給されるように形成されているので、テレビジョン受信機の小型化およびそれに内蔵されたテレビジョン・チューナ１Ａの省スペース化に貢献することができる。
【００３８】
次に、図２を用いて、第２の実施形態の同調回路、同調回路用配線板および同調回路内蔵機器を説明する。第２の実施形態のテレビジョン・チューナ１Ｂにおいては、図２に示すように、第１のチューナ部３と第２のチューナ部５との間に、１または２以上の第３のチューナ部６Ａ、６Ｂ、・・・を接続して形成したものである。このような場合、これら第３のチューナ部６Ａ、６Ｂ、・・・は、第２のチューナ部５と同様にしてそれぞれ形成された第３のＰＬＬ回路６Ａａ、６Ｂａ、・・・および外部入力端子６Ａｃ、６Ｂｃ、・・・の他に、第２の外部出力端子６Ａｂ、６Ｂｂ、・・・を備えている。この第２の外部出力端子６Ａｂ、６Ｂｂ、・・・は、外部入力端子６Ａｃ、６Ｂｃ、・・・から得られるチューニング電圧を他のチューナ部（例えば１の第３のチューナ部６Ａから他の第３のチューナ部６Ｂ）に出力するように形成されており、給電線７を用いて他のチューナ部の外部入力端子６Ｂｃ、・・・または５ｃにそれぞれ直列に接続されている。
【００３９】
図２に示すように、第１のチューナ部３と第２のチューナ部５との間に、１または２以上の第３のチューナ部６Ａ、６Ｂ、・・・が接続されている場合、１の第３のチューナ部６Ａは、外部入力端子６Ａｃを介して第３のＰＬＬ回路６Ａａにチューニング電圧を受給することができるとともに、第２の外部出力端子６Ａｂを介して他の第３のチューナ部６ＢのＰＬＬ回路６Ｂａおよび第２のチューナ部のＰＬＬ回路５ｃにチューニング電圧を供給することができる。つまり、複数のチューナ部３、５、６Ａ、６Ｂ、・・・を有するテレビジョン・チューナ１Ｂにおいては、給電線７を介して、１個の高電圧生成回路４に対して第１、第２および第３のＰＬＬ回路３ａ、５ａ、６Ａａ、６Ｂａ、・・・を並列に接続させることができるので、１個の高電圧生成回路４により生成されたチューニング電圧を第１、第２および第３のＰＬＬ回路３ａ、５ａ、６Ａａ、６Ｂａ、・・・に供給することができる。
【００４０】
また、第２の実施形態において、配線板２Ｂは、前述と同様に形成された第１の接続端子（３ｅ、５ｅ、６Ａｅもしくは６Ｂｅ）および第２の接続端子（３ｂ、６Ａｃ、６Ｂｃもしくは５ｃ）の他に、第３の接続端子（６Ａｂもしくは６Ｂｂ）を有している。第３の接続端子（６Ａｂもしくは６Ｂｂ）は、第２の接続端子（６Ａｃもしくは６Ｂｃ）から分岐して形成されている。第１の接続端子（本文においては３ｅ）に高電圧生成回路４が接続されている場合、第２の接続端子は第１の外部出力端子３ｂとなり、第１のチューナ部３が搭載される配線板として用いられる。また、第１の接続端子（本文においては５ｅ、６Ａｅもしくは６Ｂｅ）に高電圧生成回路４が接続されていない場合、第２の接続端子は外部入力端子６Ａｃ、６Ｂｃ、・・・となり、また第３の接続端子は第２の外部出力端子６Ａｂ、６Ｂｂ、・・・となる（第２の接続端子と第３の接続端子とは逆であっても良い）ことから、第１のチューナ部３、第２のチューナ部５および第３のチューナ部６Ａ、６Ｂ、・・・が搭載される配線板として用いられる。第１のチューナ部３が搭載される配線板、第２のチューナ部５が搭載される配線板および第３のチューナ部６Ａ、６Ｂ、・・・が搭載される配線板は現実に分離されることなく観念上分離されるものであってもよいので、図２に示すように第２の実施形態においてはそれらの配線板が同一の配線板２Ｂに形成されている。
【００４１】
このように、第２の実施形態の配線板２Ｂは、第１の接続端子（３ｅ、５ｅ、６Ａｅもしくは６Ｂｅ）、第２の接続端子（３ｂ、６Ａｃ、６Ｂｃもしくは５ｃ）および第３の接続端子（６Ａｂもしくは６Ｂｂ）を有しているので、第１のチューナ部３、第２のチューナ部５および第３のチューナ部６Ａ、６Ｂ、・・・のいずれのチューナ部に対しても共通の配線板を用いることができる。そのため、各種のチューナ部に応じて配線板、２Ｂｂ、２Ｂｃの形状を変更する必要が無くなり、高い汎用性を有する配線板２Ｂとすることができる。
【００４２】
すなわち、第２の実施形態によれば、複数のチューナ部に対して１個の高電圧生成回路４のみを用いるので、テレビジョン受信機の小型化およびそれに内蔵されたテレビジョン・チューナ１Ａの省スペース化に寄与する。
【００４３】
なお、本考案は、前述した実施形態などに限定されるものではなく、必要に応じて種々の変更が可能である。
【図面の簡単な説明】
【００４４】
【図１】本考案の第１の実施形態の同調回路（テレビジョン・チューナ）を示す部分ブロック図
【図２】本考案の第２の実施形態のテレビジョン・チューナ（同調回路）を示す部分ブロック図
【図３】従来の同調回路の一実施形態（テレビジョン・チューナ）を示すブロック図
【図４】従来のテレビジョン受信機に複数のテレビジョン・チューナを内蔵した場合を示す部分ブロック図
【符号の説明】
【００４５】
１Ａ、１Ｂ  テレビジョン・チューナ
２Ａ、２Ｂ  配線板
３  第１のチューナ部
３ａ  第１のＰＬＬ回路
３ｂ  第１の外部出力端子
３ｄ  給電線
４  高電圧生成回路
５  第２のチューナ部
５ａ  第２のＰＬＬ回路
５ｃ  外部入力端子
６Ａ、６Ｂ  第３のチューナ部
６Ａａ、６Ｂａ  第３のＰＬＬ回路
６Ａｂ、６Ｂｂ  第２の外部出力端子
６Ａｃ、６Ｂｃ  外部入力端子
７  給電線
１０  アンテナ
【図１】
0003123100.tif 000003
【図２】
0003123100.tif 000004
【図３】
0003123100.tif 000005
【図４】
0003123100.tif 000006